(57)【要約】      （修正有）【課題】システム全体で通過履歴を記録することができ、通過履歴の記録漏れの発生を防ぐことのできる見守りシステムを提供する。【解決手段】見守りシステム１は、児童が所持する電子ＩＣタグ２と、児童の通学路に配置された複数の見守りノード３を備える。電子ＩＣタグ２は、見守りノード３からのビーコン信号を受信すると、その見守りノード３の通過履歴をメモリに記録するとともに、タグＩＤを返信する。タグＩＤを受信した見守りノード３は、受信完了を示すＯＫ信号を電子ＩＣタグ２へ送信する。電子ＩＣタグ２はＯＫ信号を受信したら通過履歴を消去する。通過履歴が消去されずに残っているときには、見守りノード３へタグＩＤを返信するときにその通過履歴も返信する。【選択図】図１
2008250707.tif 000002
【特許請求の範囲】
【請求項１】
見守り対象者が所持する無線タグ装置と、前記無線タグ装置と無線通信可能であり前記見守り対象者の移動経路に配置された複数の見守り端末を備えた見守りシステムにおいて、
前記見守り端末は、
前記見守り端末の通信可能エリア内の前記無線タグ装置を探索する探索信号を、前記無線タグ装置へ送信する探索手段と、
前記無線タグ装置から前記探索信号の返信として前記無線タグ装置の識別情報を受信したときに、前記識別情報の受信処理が完了したことを通知する通知信号を、前記無線タグ装置へ送信する通知手段と、を備え、
前記無線タグ装置は、
前記見守り端末から前記探索信号を受信したときに、前記識別情報を前記見守り端末へ返信する返信手段と、
前記見守り端末から前記探索信号を受信したときに、前記見守り端末を通過したことを示す通過履歴を記録する記録手段と、
前記見守り端末から前記通知信号を受信したときに、前記通過履歴を消去する記録制御手段と、を備え、
前記返信手段は、前記通過履歴が消去されずに残っている場合には、前記見守り端末から前記探索信号を受信したときに、前記識別情報とともに前記通過履歴を前記見守り端末へ返信することを特徴とする見守りシステム。
【請求項２】
前記見守り端末にネットワークを介して通信可能に接続された見守りセンタを備え、
前記通知手段は、前記無線タグ装置から受信した前記識別情報を前記見守りセンタへ送信したときに、前記通知信号を前記無線タグ装置へ送信することを特徴とする請求項１に記載の見守りシステム。
【請求項３】
前記見守り端末は、前記無線タグ装置から受信した前記識別情報と、前記識別情報を受信した前記見守り端末を特定する端末ＩＤ情報と、前記識別情報を受信した時刻を示す時刻情報を前記見守りセンタへ送信することを特徴とする請求項２に記載の見守りシステム。
【請求項４】
請求項１に記載の見守りシステムで用いられる無線タグ装置であって、
見守り端末の通信可能エリア内の前記無線タグ装置を探索する探索信号を前記見守り端末から受信したときに、前記無線タグ装置の識別情報を前記見守り端末へ返信する返信手段と、
前記見守り端末から前記探索信号を受信したときに、前記見守り端末を通過したことを示す通過履歴を記録する記録手段と、
返信した前記識別情報の受信処理が完了したことを通知する通知信号を前記見守り端末から受信したときに、前記通過履歴を消去する記録制御手段と、を備え、
前記返信手段は、前記通過履歴が消去されずに残っている場合には、前記見守り端末から前記探索信号を受信したときに、前記識別情報とともに前記通過履歴を前記見守り端末へ返信することを特徴とする無線タグ装置。
【請求項５】
見守り対象者が所持する無線タグ装置と、前記無線タグ装置と無線通信可能であり前記見守り対象者の移動経路に配置された複数の見守り端末を備えた見守りシステムで用いられる通過履歴記録方法であって、
前記見守り端末の通信可能エリア内の前記無線タグ装置を探索する探索信号を、前記見守り端末から前記無線タグ装置へ送信し、
前記見守り端末からの前記探索信号を前記無線タグ装置が受信したときに、前記見守り端末を通過したことを示す通過履歴を記録するとともに、前記無線タグ装置の識別情報を前記見守り端末へ返信し、
前記無線タグ装置から返信された前記識別情報を前記見守り端末が受信したときに、前記識別情報の受信処理が完了したことを通知する通知信号を前記見守り端末から前記無線タグ装置へ送信し、
前記見守り端末からの前記通知信号を前記無線タグ装置が受信したときに、前記通過履歴を消去し、
前記通過履歴が消去されずに残っている場合には、前記見守り端末から前記探索信号を受信したときに、前記識別情報とともに前記通過履歴を前記見守り端末へ返信することを特徴とする通過履歴記録方法。
【発明の詳細な説明】
【技術分野】
【０００１】
本発明は、見守り対象者の通過履歴をシステム全体で記録可能な見守りシステムに関するものである。
【背景技術】
【０００２】
近年、インターネットの普及により、ネットワークを介した遠隔監視システムが低コストで実現可能になった。一方、犯罪の件数は増加の一途を辿っており、特に児童を狙った凶悪な犯罪が大きな社会問題となっている。
【０００３】
このような状況の中で、児童の安全を守るために多くの監視システムが、自治体や企業などによって開発されている。従来、監視システムの一つとして、特に児童の通学を見守るための見守りシステムが提案されている（例えば特許文献１参照）。従来の見守りシステムでは、見守り対象者である児童に個人を特定できる無線ＩＣタグを所持させておき、児童の通学路などにＩＣタグリーダーを設置しておく。無線ＩＣタグを所持した児童がＩＣタグリーダーの付近を通過すると、無線ＩＣタグとの無線通信によって児童の通過が検出され、児童の通過履歴が記録される。その通過履歴はＷｅｂサーバに保存される。児童の保護者は、自宅のパソコンなどからＷｅｂサーバにアクセスし、児童の通過履歴を入手する。このようにして、児童の保護者は、児童の安全を離れた場所からでも見守ることができる。
【特許文献１】特開２００４−８６３９４号公報（第３−７頁、第１図）
【発明の開示】
【発明が解決しようとする課題】
【０００４】
しかしながら、従来のシステムでは、朝の集団登校等のときに同時に多数の無線ＩＣタグがＩＣタグリーダーの付近を通過すると、無線通信のコリジョンによる通信障害（送受信エラー）が生じることがある。このような通信障害によってＩＣタグリーダーが無線ＩＣタグの読取りに失敗してしまった場合には、その無線ＩＣタグを所持する児童の通過履歴の記録漏れが発生するおそれがあるという問題があった。
【０００５】
本発明は、上記従来の問題を解決するためになされたもので、見守り対象者の通過履歴をシステム全体で記録することができ、見守り対象者の通過履歴の記録漏れが発生するのを防ぐことのできる見守りシステムを提供することを目的とする。
【課題を解決するための手段】
【０００６】
本発明の見守りシステムは、見守り対象者が所持する無線タグ装置と、前記無線タグ装置と無線通信可能であり前記見守り対象者の移動経路に配置された複数の見守り端末を備えた見守りシステムにおいて、前記見守り端末は、前記見守り端末の通信可能エリア内の前記無線タグ装置を探索する探索信号を、前記無線タグ装置へ送信する探索手段と、前記無線タグ装置から前記探索信号の返信として前記無線タグ装置の識別情報を受信したときに、前記識別情報の受信処理が完了したことを通知する通知信号を、前記無線タグ装置へ送信する通知手段と、を備え、前記無線タグ装置は、前記見守り端末から前記探索信号を受信したときに、前記識別情報を前記見守り端末へ返信する返信手段と、前記見守り端末から前記探索信号を受信したときに、前記見守り端末を通過したことを示す通過履歴を記録する記録手段と、前記見守り端末から前記通知信号を受信したときに、前記通過履歴を消去する記録制御手段と、を備え、前記返信手段は、前記通過履歴が消去されずに残っている場合には、前記見守り端末から前記探索信号を受信したときに、前記識別情報とともに前記通過履歴を前記見守り端末へ返信する構成を有している。
【０００７】
この構成により、見守り端末から無線タグ装置へ探索信号が送信されると、その探索信号を受信した無線タグ装置は通過履歴を記録するとともに識別情報を返信する。見守り端末がその識別情報を受信した場合には、通知信号が無線タグ装置へ送信されて通過履歴が消去される。一方、見守り端末がその識別情報を受信しなかった場合には、通信信号が無線タグ装置へ送信されず通過履歴は消去されない。そして、通過履歴が消去されずに残っている場合には、識別情報とともにその通過履歴が見守り端末へ返信される。例えば、一つ前に通過した見守り端末に通信障害が発生していた場合には、その見守り端末の通過履歴は消去されずに無線タグ装置に残されている。そして、現在通過している見守り端末（通信障害は発生していない）に、その通過履歴が識別情報とともに無線タグ装置から返信される。このように、複数の見守り端末のうち一の見守り端末が無線タグ装置との無線通信に失敗した場合でも、システム全体で通過履歴を記録することができ、通過履歴の記録漏れの発生を防ぐことができる。
【０００８】
また、本発明の見守りシステムは、前記見守り端末にネットワークを介して通信可能に接続された見守りセンタを備え、前記通知手段は、前記無線タグ装置から受信した前記識別情報を前記見守りセンタへ送信したときに、前記通知信号を前記無線タグ装置へ送信する構成を有している。
【０００９】
この構成により、見守り端末が無線タグ装置から受信した識別情報を見守りセンタへ送信した場合に、通知信号が無線タグ装置へ送信されて通過履歴が消去される。一方、見守り端末がその識別情報を見守りセンタへ送信しなかった場合には、通信信号が無線タグ装置へ送信されず通過履歴は消去されない。そして、上記と同様、通過履歴が消去されずに残っている場合には、識別情報とともにその通過履歴が見守り端末へ返信される。例えば、一つ前に通過した見守り端末がオフラインである（すなわち、見守りセンタとネットワークで接続されていない）場合には、その見守り端末の通過履歴は消去されずに無線タグ装置に残されている。そして、現在通過している見守り端末（オンラインの見守り端末）に、その通過履歴が識別情報とともに無線タグ装置から返信される。このように、複数の見守り端末のうち一の見守り端末が見守りセンタとのネットワーク通信に失敗した場合でも、見守りセンタで通過履歴を管理することができ、システム全体で通過履歴を管理することができる。
【００１０】
また、本発明の見守りシステムでは、前記見守り端末は、前記無線タグ装置から受信した前記識別情報と、前記識別情報を受信した前記見守り端末を特定する端末ＩＤ情報と、前記識別情報を受信した時刻を示す時刻情報を前記見守りセンタへ送信する構成を有している。
【００１１】
この構成により、見守りセンタでは、見守り端末を通過した無線タグ装置の識別情報と、その見守り端末の端末ＩＤ情報と、無線タグ装置がその見守り端末を通過した時刻情報が記録される。これにより、見守り対象者が通過した見守り端末と時刻を特定することができ、見守り対象者の通過した経路を正確に把握することができる。
【００１２】
本発明の無線タグ装置は、上記の見守りシステムで用いられる無線タグ装置であって、見守り端末の通信可能エリア内の前記無線タグ装置を探索する探索信号を前記見守り端末から受信したときに、前記無線タグ装置の識別情報を前記見守り端末へ返信する返信手段と、前記見守り端末から前記探索信号を受信したときに、前記見守り端末を通過したことを示す通過履歴を記録する記録手段と、返信した前記識別情報の受信処理が完了したことを通知する通知信号を前記見守り端末から受信したときに、前記通過履歴を消去する記録制御手段と、を備え、前記返信手段は、前記通過履歴が消去されずに残っている場合には、前記見守り端末から前記探索信号を受信したときに、前記識別情報とともに前記通過履歴を前記見守り端末へ返信する構成を有している。
【００１３】
この構成によっても、上記のように、複数の見守り端末のうち一の見守り端末が無線タグ装置との無線通信に失敗した場合でも、システム全体で通過履歴を記録することができ、通過履歴の記録漏れの発生を防ぐことができる。
【００１４】
本発明の通過履歴記録方法は、見守り対象者が所持する無線タグ装置と、前記無線タグ装置と無線通信可能であり前記見守り対象者の移動経路に配置された複数の見守り端末を備えた見守りシステムで用いられる通過履歴記録方法であって、前記見守り端末の通信可能エリア内の前記無線タグ装置を探索する探索信号を、前記見守り端末から前記無線タグ装置へ送信し、前記見守り端末からの前記探索信号を前記無線タグ装置が受信したときに、前記見守り端末を通過したことを示す通過履歴を記録するとともに、前記無線タグ装置の識別情報を前記見守り端末へ返信し、前記無線タグ装置から返信された前記識別情報を前記見守り端末が受信したときに、前記識別情報の受信処理が完了したことを通知する通知信号を前記見守り端末から前記無線タグ装置へ送信し、前記見守り端末からの前記通知信号を前記無線タグ装置が受信したときに、前記通過履歴を消去し、前記通過履歴が消去されずに残っている場合には、前記見守り端末から前記探索信号を受信したときに、前記識別情報とともに前記通過履歴を前記見守り端末へ返信する。
【００１５】
この方法によっても、上記のように、複数の見守り端末のうち一の見守り端末が無線タグ装置との無線通信に失敗した場合でも、システム全体で通過履歴を記録することができ、通過履歴の記録漏れの発生を防ぐことができる。
【発明の効果】
【００１６】
本発明は、見守り端末から探索信号を受信したときに通過履歴を記録する記録手段と、見守り端末から通知信号を受信したときに通過履歴を消去する記録制御手段と、通過履歴が消去されずに残っている場合には探索信号を受信したときに通過履歴を返信する返信手段を無線タグ装置に設けることにより、システム全体で通過履歴を記録することができ、通過履歴の記録漏れの発生を防ぐことができるという効果を有する見守りシステムを提供することができるものである。
【発明を実施するための最良の形態】
【００１７】
以下、本発明の実施の形態の見守りシステムについて、図面を用いて説明する。本実施の形態では、学校や塾などに通う児童（見守り対象者）の様子を、自宅や職場などにいる保護者（ユーザ）が見守ることができる児童の見守りシステム等の場合を例示する。
【００１８】
本発明の実施の形態の見守りシステムを、図１〜図６を用いて説明する。ここでは、まず、見守りシステムの全体の構成について概略を説明する。図１は、本実施の形態の見守りシステムの構成を示すブロック図である。図１に示すように、見守りシステム１の見守り対象者である児童は、電子ＩＣタグ２（単にＩＣタグ２ともいう）を所持している。この電子ＩＣタグ２は、例えば、無線ＩＣタグ２を備えた生徒証や塾生証などのＩＣカードや、携帯電話機やＰＤＡなどの携帯端末などの装置である。この電子ＩＣタグ２が、本発明の無線タグ装置に相当する。
【００１９】
見守りシステム１は、見守り対象者である児童の通学路などに配置された見守りノード３と、見守りノード３にネットワークを介して通信可能に接続された見守りセンタ４で構成されている。見守りノード３は、児童が所持する電子ＩＣタグ２と無線通信可能であり、電子ＩＣタグ２から種々の情報を読み取ることができる。したがって、この見守りノード３はタグリーダ装置であるともいえる。見守りノード３は、児童の通学路などの街頭に設置され、例えば、通学路の途中の交差点や道路の脇、学校の校門や塾の出入り口などに設置される。この見守りノード３が、本発明の見守り端末に相当する。
【００２０】
図１の例では、説明の便宜のために、１つの電子ＩＣタグ２と、５つの見守りノード３（見守りノードＡ、Ｂ、Ｃ、Ｄ、Ｅ）と、１つの見守りセンタ４が図示されているが、電子ＩＣタグ２、見守りノード３、見守りセンタ４の数はこれに限定されるものではない。また、図１では、５つの見守りノード３のうち、見守りノードＡについてのみ詳細な構成を図示し、他の見守りノードＢ、Ｃ、Ｄ、Ｅについては詳細な構成の図示を省略した。
【００２１】
図１に示すように、見守りノード３は、児童が所持する電子ＩＣタグ２へ信号を送信するアンテナ５を有する信号送信部６と、その電子ＩＣタグ２からの信号を受信するアンテナ７を有する信号受信部８を備えている。また、見守りノード３は、電子ＩＣタグ２がその見守りノード３を通過したことを示す通過情報を見守りセンタ４へ送信する制御部９を備えている。
【００２２】
図１に示すように、見守りセンタ４は、見守りノード３から受信した通過情報を電子ＩＣタグ２ごとに（つまり見守り対象者ごとに）管理するデータベースサーバ１０と、その見守り対象者（児童）の通過情報をユーザ（児童の保護者）に提供するデータ提供部１１を備えている。
【００２３】
つぎに、見守りシステム１の各構成について詳細に説明する。ここでは、まず、電子ＩＣタグ２と見守りノード３の構成について説明する。図２は、電子ＩＣタグ２と見守りノード３の構成を示すブロック図である。
【００２４】
まず、電子ＩＣタグ２の構成について説明する。図２に示すように、電子ＩＣタグ２は、見守りノード３からの信号を受信する受信部１２と、見守りノード３へ信号を返信する返信部１３を備えている。この返信部１３は、見守りノード３から後述するビーコン信号のみを受信したときには、電子ＩＣタグ２のタグＩＤを返信する。また、返信部１３は、見守りノード３からビーコン信号と後述するＯＫ信号を受信したときには、タグＩＤとともに後述する通過履歴を返信する。この返信部１３は、本発明の返信手段に相当する。ここで、タグＩＤは、本発明の識別情報に相当する。また、ビーコン信号は、本発明の探索信号に相当し、ＯＫ信号は、本発明の通知信号に相当する。
【００２５】
また、電子ＩＣタグ２は、メモリ１４を備えており、メモリ１４には、通過履歴として、電子ＩＣタグ２が通過した見守りノード３を示すノードＩＤと、電子ＩＣタグ２が見守りノード３を通過した時刻を示す時刻情報などが記録されている。また、このメモリ１４には、電子ＩＣタグ２のタグＩＤも記録されている。このメモリ１４が、本発明の記録手段に相当する。
【００２６】
また、この電子ＩＣタグ２は、メモリ１４に記録された各種データの書込み・参照・消去を行うメモリ制御部１５を備えている。メモリ制御部１５は、見守りノード３からビーコン信号を受信したときに、その見守りノード３のノードＩＤを通過履歴としてメモリ１４に書き込む。また、メモリ制御部１５は、その見守りノード３からＯＫ信号を受信したときには、その見守りノード３のノードＩＤをメモリ１４から消去する。一方、見守りノード３からＯＫ信号を受信しないときには、電子ＩＣタグ２のメモリ１４にそのノードＩＤが消去されずに残される。このメモリ制御部１５が、本発明の記録制御手段に相当する。
【００２７】
つぎに、見守りノード３の構成について説明する。ここでは、特に、制御部９の構成について詳細に説明する。図２に示すように、制御部９は、通信可能エリア内の電子ＩＣタグ２を探索するビーコン信号を送信する探索部１６を備えている。このビーコン信号には、ビーコン信号を発信した見守りノード３を識別するノードＩＤが含まれている。ここでは、探索部１６が、本発明の探索手段に相当する。
【００２８】
また、制御部９は、電子ＩＣタグ２から返信されたタグＩＤの受信完了を通知するＯＫ信号を電子ＩＣタグ２へ送信する通知部１７を備えている。この通知部１７は、電子ＩＣタグ２からタグＩＤを受信し、かつ、そのタグＩＤを見守りセンタ４へ送信したときに、電子ＩＣタグ２へＯＫ信号を送信する。例えば、電子ＩＣタグ２との無線通信障害等により、見守りノード３が電子ＩＣタグ２からタグＩＣを受信できなかった場合には、電子ＩＣタグ２へＯＫ信号を送信しない。つまり、このＯＫ信号は、電子ＩＣタグ２からの受信完了通知であるといえる。また、例えば、見守りセンタ４とのネットワーク通信障害等により、見守りノード３が見守りセンタ４へタグＩＣを送信できなかった場合には、電子ＩＣタグ２へＯＫ信号を送信しない。つまり、このＯＫ信号は、見守りセンタ４への送信完了通知であるともいえる。ここでは、通知部１７が、本発明の通知手段に相当する。
【００２９】
制御部９は、電子ＩＣタグ２から受信したタグＩＤや通過履歴（これらをまとめてタグ情報ともいう）を一時保存しておくデータ一時保存部１８と、タグ情報（タグＩＤや通過履歴）に基づいて後述する通過情報を作成する通過情報作成部１９と、通過情報をネットワークを介して見守りセンタ４へ送信するネットワーク送信部２０を備えている。本実施の形態の通過情報には、タグ情報（タグＩＤや通過履歴）と、タグ情報を受信した見守りノード３を特定するノードＩＤ（端末ＩＤ情報ともいう）と、タグ情報を受信した時刻を示す時刻情報が含まれる。
【００３０】
つぎに、見守りセンタ４の構成について詳細に説明する。ここでは、特に、データベースサーバ１０とデータ提供部１１の構成について詳細に説明する。図３は、見守りセンタ４の構成を示すブロック図である。
【００３１】
図３に示すように、データベースサーバ１０は、見守りノード３からネットワークを介して送信された通過情報を受信するネットワーク受信部２１と、受信した通過情報などのデータを記憶するデータベース２２と、データベース２２へのデータ登録やデータ削除などを行うデータ登録部２３を備えている。このデータベース２２には、例えば、ユーザのログインＩＤやパスワード、データ提供先（メールの送信先など）の情報が登録されている。また、データ提供部１１は、ユーザからの通過履歴の閲覧要求を受け付ける要求受付部２４と、通過履歴の閲覧要求があったユーザに対して通過情報を送信する情報送信部２５を備えている。
【００３２】
以上のように構成された見守りシステム１について、図４〜図６を用いてその動作を説明する。ここでは、まず、図４および図５を用いて、電子ＩＣタグ２を所持した児童が見守りノード３の付近を通過したときのシステムの各構成の動作を説明する。
【００３３】
図４は、見守りノード３と電子ＩＣタグ２の動作を示すフロー図である。図４に示すように、まず、見守りノード３の探索部１６は、ビーコン信号を電子ＩＣタグ２へ送信する（Ｓ１）。本実施の形態では、見守りノード３の探索部１６は、所定の待ち時間が経過するまでウェイト処理をして（Ｓ２）、ビーコン信号の送信を一定周期で繰り返す。
【００３４】
電子ＩＣタグ２は、常時、見守りノード３からの受信待ち状態となっており（Ｓ３）、見守りノード３からビーコン信号のみを受信すると（Ｓ４）、そのビーコン信号を発信した見守りノード３のノードＩＤを通過履歴としてメモリ１４に書き込むとともに、メモリ１４に消去されずに残っている通過履歴を参照する（Ｓ５）。そして、メモリ１４に通過履歴が残っていなかった場合には、タグＩＤのみをタグ情報として見守りノード３へ返信し、メモリ１４に通過履歴が残っていた場合には、タグＩＤと通過履歴をタグ情報として見守りノード３へ返信する（Ｓ６）。
【００３５】
見守りノード３の制御部９は、電子ＩＣタグ２からタグ情報を取得すると（Ｓ７）、そのタグ情報（タグＩＤや通過履歴）にノードＩＤと時刻情報を付加して通過情報を作成し（Ｓ８）、その通過情報を見守りセンタ４へネットワーク送信する（Ｓ９）。見守りセンタ４へ通過情報の送信が完了すると（Ｓ１０）、見守りノード３はビーコン信号とＯＫ信号を電子ＩＣタグ２へ送信する（Ｓ１１）。
【００３６】
電子ＩＣタグ２は、再び見守りノード３からの受信待ち状態となっており（Ｓ３）、見守りノード３からビーコン信号のみの受信ではなく（Ｓ４）、ビーコン信号とともにＯＫ信号を受信すると（Ｓ１２）、メモリ１４の通過履歴を消去する（Ｓ１３）。
【００３７】
図５は、見守りセンタ４の動作を示すフロー図である。図５に示すように、見守りセンタ４のデータベースサーバ１０は、見守りノード３から通過情報を受信すると（Ｓ１４）、その通過情報をデータベース２２に保存する（Ｓ１５）。
【００３８】
そして、見守りセンタ４のデータ提供部１１が、ユーザからの閲覧要求を受け付けると（Ｓ１６）、データベース２２から通過情報を取得して（Ｓ１７）、その通過情報をユーザに送信する（Ｓ１８）。
【００３９】
つぎに、図６を用いて、システム全体の動作を説明する。ここでは、５つの見守りノード３（見守りノードＡ、Ｂ、Ｃ、Ｄ、Ｅ）の付近を電子ＩＣタグ２（電子ＩＣタグＡ）を所持した児童が順番に通過したときの動作を説明する。この例では、見守りノードＢと電子ＩＣタグＡとの間には無線通信障害がある。また、見守りノードＤは見守りセンタ４とオフラインである。その他の見守りノードＡ、Ｃ、Ｅには、通信障害がないものとする。
【００４０】
図６は、システム全体の動作の説明図である。図６に示すように、電子ＩＣタグＡを所持した児童が見守りノードＡの付近を通過したときには、上述のように、見守りノードＡは、ビーコン信号を電子ＩＣタグＡへ送信する。電子ＩＣタグＡは、見守りノードＡのノードＩＤ（見守りノードＡの通過履歴）をメモリ１４に記録し、見守りノードＡへタグＩＤを返信する。見守りノードＡは、電子ＩＣタグＡからのタグＩＤの受信に成功し、見守りセンタ４への通過情報の送信を成功すると、ビーコン信号とＯＫ信号を電子ＩＣタグＡへ送信する。そして、ＯＫ信号を受信した電子ＩＣタグＡは、メモリ１４の通過履歴（見守りノードＡの通過履歴）を消去する。
【００４１】
つぎに、この電子ＩＣタグＡを所持した児童は、見守りノードＢの付近を通過する。上述のように、見守りノードＢが、ビーコン信号を電子ＩＣタグＡへ送信すると、電子ＩＣタグＡが、見守りノードＢのノードＩＤ（見守りノードＢの通過履歴）をメモリ１４に記録し、見守りノードＢへタグＩＤを返信する。見守りノードＢは、無線通信障害によって、電子ＩＣタグＡからのタグＩＤの受信に失敗する。したがって、見守りセンタ４への通過情報の送信にも失敗する。この場合には、見守りノードＢから電子ＩＣタグＡへＯＫ信号が送信されず、電子ＩＣタグＡのメモリ１４の通過履歴（見守りノードＢの通過履歴）は消去されない。
【００４２】
つぎに、この電子ＩＣタグＡを所持した児童が見守りノードＣの付近を通過する。上述のように、見守りノードＣが、ビーコン信号を電子ＩＣタグＡへ送信すると、電子ＩＣタグＡが、見守りノードＣのノードＩＤ（見守りノードＣの通過履歴）をメモリ１４に記録し、見守りノードＣへタグＩＤを返信する。この場合、電子ＩＣタグＡは、メモリ１４に消去されずに残っている通過履歴（見守りノードＢの通過履歴）をタグＩＤとともに見守りノードＣへ返信する。見守りノードＣは、電子ＩＣタグＡからのタグＩＤと通過履歴の受信に成功し、見守りセンタ４への通過情報の送信を成功すると、ビーコン信号とＯＫ信号を電子ＩＣタグＡへ送信する。そして、ＯＫ信号を受信した電子ＩＣタグＡは、メモリ１４の通過履歴（見守りノードＢとＣの通過履歴）を消去する。
【００４３】
つぎに、この電子ＩＣタグＡを所持した児童は、見守りノードＤの付近を通過する。上述のように、見守りノードＤが、ビーコン信号を電子ＩＣタグＡへ送信すると、電子ＩＣタグＡが、見守りノードＤのノードＩＤ（見守りノードＤの通過履歴）をメモリ１４に記録し、見守りノードＤへタグＩＤを返信する。見守りノードＤは、電子ＩＣタグＡからのタグＩＤの受信には成功するものの、オフラインの見守りノードＤは、見守りセンタ４へ通過情報を送信できない。この場合には、見守りノードＤから電子ＩＣタグＡへＯＫ信号が送信されず、電子ＩＣタグＡのメモリ１４の通過履歴（見守りノードＤの通過履歴）は消去されない。
【００４４】
つぎに、この電子ＩＣタグＡを所持した児童が見守りノードＥの付近を通過する。上述のように、見守りノードＥが、ビーコン信号を電子ＩＣタグＡへ送信すると、電子ＩＣタグＡが、見守りノードＥのノードＩＤ（見守りノードＥの通過履歴）をメモリ１４に記録し、見守りノードＥへタグＩＤを返信する。この場合、電子ＩＣタグＡは、メモリ１４に消去されずに残っている通過履歴（見守りノードＤの通過履歴）をタグＩＤとともに見守りノードＥへ返信する。見守りノードＥは、電子ＩＣタグＡからのタグＩＤと通過履歴の受信に成功し、見守りセンタ４への通過情報の送信を成功すると、ビーコン信号とＯＫ信号を電子ＩＣタグＡへ送信する。そして、ＯＫ信号を受信した電子ＩＣタグＡは、メモリ１４の通過履歴（見守りノードＤとＥの通過履歴）を消去する。
【００４５】
このような本実施の形態の見守りシステム１によれば、見守りノード３からビーコン信号を受信したときに通過履歴を記録するメモリ１４と、見守りノード３からＯＫ信号を受信したときに通過履歴を消去するメモリ制御部１５と、通過履歴が消去されずに残っている場合にはビーコン信号を受信したときに通過履歴を返信する返信部１３を電子ＩＣタグ２に設けることにより、複数の見守りノード３のうち一の見守りノード３が電子ＩＣタグ２との無線通信に失敗した場合でも、システム全体で通過履歴を記録することができ、通過履歴の記録漏れの発生を防ぐことができる。
【００４６】
すなわち、本実施の形態では、見守りノード３から電子ＩＣタグ２へビーコン信号が送信されると、そのビーコン信号を受信した電子ＩＣタグ２は通過履歴を記録するとともにタグＩＤを返信する。見守りノード３がそのタグＩＤを受信した場合には、ＯＫ信号が電子ＩＣタグ２へ送信されて通過履歴が消去される。一方、見守りノード３がそのタグＩＤを受信しなかった場合には、通信信号が電子ＩＣタグ２へ送信されず通過履歴は消去されない。そして、通過履歴が消去されずに残っている場合には、タグＩＤとともにその通過履歴が見守りノード３へ返信される。
【００４７】
例えば、一つ前に通過した見守りノードＢに無線通信障害が発生していた場合には、その見守りノードＢの通過履歴は消去されずに電子ＩＣタグ２に残されている。そして、現在通過している見守りノードＣ（通信障害は発生していない）に、その通過履歴がタグＩＤとともに電子ＩＣタグ２から返信される。このように、複数の見守りノード３のうち一の見守りノード３が電子ＩＣタグ２との無線通信に失敗した場合でも、システム全体で通過履歴を記録することができ、通過履歴の記録漏れの発生を防ぐことができる。
【００４８】
つまり、一つまたは複数の見守りノード３と電子ＩＣタグ２との間で無線通信障害が発生した場合であっても、見守り対象者である児童の通過情報を得ることができ、システムの運用が可能である。
【００４９】
また、本実施の形態では、見守りノード３が電子ＩＣタグ２から受信したタグＩＤを見守りセンタ４へ送信した場合に、ＯＫ信号が電子ＩＣタグ２へ送信されて通過履歴が消去される。一方、見守りノード３がそのタグＩＤを見守りセンタ４へ送信しなかった場合には、通信信号が電子ＩＣタグ２へ送信されず通過履歴は消去されない。そして、上記と同様、通過履歴が消去されずに残っている場合には、タグＩＤとともにその通過履歴が見守りノード３へ返信される。
【００５０】
例えば、一つ前に通過した見守りノードＤがオフラインである（すなわち、見守りセンタ４とネットワークで接続されていない）場合には、その見守りノードＤの通過履歴は消去されずに電子ＩＣタグ２に残されている。そして、現在通過している見守りノードＥ（オンラインの見守りノード）に、その通過履歴がタグＩＤとともに電子ＩＣタグ２から返信される。このように、複数の見守りノード３のうち一の見守りノード３が見守りセンタ４とのネットワーク通信に失敗した場合でも、見守りセンタ４で通過履歴を管理することができ、システム全体で通過履歴を管理することができる。
【００５１】
つまり、一つまたは複数の見守りノード３と見守りセンタ４との間でネットワーク接続が無い場合、または、ネットワーク通信障害が発生してネットワーク的に切り離された場合であっても、見守り対象者である児童の通過情報を得ることができ、システムの運用が可能である。
【００５２】
また、本実施の形態では、見守りセンタ４では、見守りノード３を通過した電子ＩＣタグ２のタグＩＤと、その見守りノード３のノードＩＤと、電子ＩＣタグ２がその見守りノード３を通過した時刻情報が記録される。これにより、見守り対象者が通過した見守りノード３と時刻を特定することができ、見守り対象者の通過した経路を正確に把握することができる。
【００５３】
また、本実施の形態では、見守りセンタ４への通過情報の送信が成功した場合には、電子ＩＣタグ２のメモリ１４から通過履歴が消去されるので、電子ＩＣタグ２のメモリ容量が少なくて済み、電子ＩＣタグ２の小型化と低コスト化が容易である。
【００５４】
以上、本発明の実施の形態を例示により説明したが、本発明の範囲はこれらに限定されるものではなく、請求項に記載された範囲内において目的に応じて変更・変形することが可能である。
【産業上の利用可能性】
【００５５】
以上のように、本発明にかかる見守りシステムは、複数の見守り端末のうち一の見守り端末が無線タグ装置との無線通信に失敗した場合でも、システム全体で通過履歴を記録することができ、通過履歴の記録漏れの発生を防ぐことができるという効果を有し、児童の見守りシステムや認知症患者の見守りシステム等として有用である。
【図面の簡単な説明】
【００５６】
【図１】本実施の形態の見守りシステムの構成を示すブロック図
【図２】見守りノードと電子ＩＣタグの構成を示すブロック図
【図３】見守りセンタの構成を示すブロック図
【図４】見守りノードと電子ＩＣタグの動作説明のためのフロー図
【図５】見守りセンタの動作説明のためのフロー図
【図６】見守りシステム全体の動作の説明図
【符号の説明】
【００５７】
１  見守りシステム
２  電子ＩＣタグ
３  見守りノード
４  見守りセンタ
９  制御部
１３  返信部
１４  メモリ
１５  メモリ制御部
１６  探索部
１７  通知部
【図１】
2008250707.tif 000003
【図２】
2008250707.tif 000004
【図３】
2008250707.tif 000005
【図４】
2008250707.tif 000006
【図５】
2008250707.tif 000007
【図６】
2008250707.tif 000008